(57)【要約】    【課題】  ガス化ガスの高カロリー化とガス転換効率を従来以上に向上することができる、ガス化発電プラントを提供すること。    【解決手段】  ガス化発電プラントは、ガスエンジン発電装置６、７と吸収冷凍機２０を備えてなり、木質バイオマスを原料とする流動床ガス化炉１から生成されるガス化ガスのライン５が、このガス化ガスを燃料とするガスエンジン発電装置６、７に接続されており、ガスエンジン発電装置６、７のガスエンジン６に備えられた冷却水ラインの内、戻りライン１９の高温冷却水を高温熱源とする吸収冷凍機２０が設けられていることを、基本的構成とする。【選択図】  図１
2005273456.tif 000002
【特許請求の範囲】
【請求項１】
ガスエンジン発電装置と吸収冷凍機を備えてなるガス化発電プラントであって、該プラントは、木質バイオマスを原料とする流動床ガス化炉から生成されるガス化ガスのラインが、このガス化ガスを燃料とするガスエンジン発電装置に接続されており、該ガスエンジン発電装置のガスエンジンに備えられた冷却水ラインの内、戻りラインの高温冷却水を高温熱源とする吸収冷凍機が設けられており、該吸収冷凍機は氷点以下の冷熱を供給できるものであることを特徴とする、ガス化発電プラント。
【請求項２】
前記ガスエンジンの排気を大気に放出するための排気ラインにはボイラが設けられ、該ボイラにはここで発生した蒸気を前記流動床ガス化炉に導く蒸気ラインが設けられており、かかる構成により該流動床ガス化炉では、木質バイオマスの熱分解反応のために蒸気を流動ガスとして使用することができ、水素や一酸化炭素などのガス化ガスを生成できることを特徴とする、請求項１に記載のガス化発電プラント。
【請求項３】
前記ボイラで発生する蒸気流量を前記流動床ガス化炉における木質チップの供給量から要求される一定範囲の値に維持するために、前記ガスエンジンの排気ラインには、排ガスを大気に放風するための放風ラインが設けられていることを特徴とする、請求項２に記載のガス化発電プラント。
【請求項４】
前記ボイラで発生する蒸気の温度を一定範囲に維持するために、前記ガスエンジンの排気ラインには、排ガス流量制御弁が設けられていることを特徴とする、請求項２または３に記載のガス化発電プラント。
【請求項５】
前記流動床ガス化炉において木質バイオマスが、前記ボイラで発生した蒸気によって熱分解反応する際に、木質バイオマスの供給量と蒸気流量との比が望ましい範囲に維持されるように、前記蒸気ラインには蒸気流量制御弁が設けられていることを特徴とする、請求項２または３に記載のガス化発電プラント。
【請求項６】
前記流動床ガス化炉において木質バイオマスが、前記ボイラで発生した蒸気によって熱分解反応する際に、木質バイオマスの供給量と蒸気流量との比が望ましい範囲に維持されるように、前記蒸気ラインには蒸気流量制御弁が設けられていることを特徴とする、請求項４に記載のガス化発電プラント。
【請求項７】
前記ガスエンジンの冷却水ラインの内、戻りラインの高温冷却水の温度を一定範囲に維持するために、供給ラインに冷却水流量制御弁が設けられていることを特徴とする、請求項１ないし３のいずれかに記載のガス化発電プラント。
【請求項８】
前記ガスエンジンの冷却水ラインの内、戻りラインの高温冷却水の温度を一定範囲に維持するために、供給ラインに冷却水流量制御弁が設けられていることを特徴とする、請求項４に記載のガス化発電プラント。
【請求項９】
前記ガスエンジンの冷却水ラインの内、戻りラインの高温冷却水の温度を一定範囲に維持するために、供給ラインに冷却水流量制御弁が設けられていることを特徴とする、請求項５に記載のガス化発電プラント。
【請求項１０】
前記ガスエンジンの冷却水ラインの内、戻りラインの高温冷却水の温度を一定範囲に維持するために、供給ラインに冷却水流量制御弁が設けられていることを特徴とする、請求項６に記載のガス化発電プラント。
【請求項１１】
木質バイオマスを原料とする流動床ガス化炉と、該流動床ガス化炉にラインで接続して設けられた蒸気発生装置とを備えてなる木質バイオマスガス製造システムであって、該蒸気発生装置は、高温排ガス発生源の排気ライン上に設けられたボイラであることを特徴とする、木質バイオマスガス製造システム。
【請求項１２】
前記ボイラには、
（１２Ａ）ボイラで発生する蒸気流量を前記流動床ガス化炉における木質チップの供給量から要求される一定範囲の値に維持するための、前記高温排ガス発生源からの排ガスを大気に放風可能な、放風ライン、
（１２Ｂ）ボイラで発生する蒸気の温度を一定範囲に維持するための、前記高温排ガス発生源からの排ガス流量を調節可能な、排ガス流量制御弁、または、
（１２Ｃ）木質バイオマスの供給量と蒸気流量との比を望ましい範囲に維持するための、蒸気流量制御弁、
の少なくともいずれか一つが付設されていることを特徴とする、請求項１１に記載の木質バイオマスガス製造システム。
【発明の詳細な説明】
【技術分野】
【０００１】
本発明はガス化発電プラントおよび木質バイオマスガス製造システムに係り、特に、木質バイオマスを原料とした熱分解反応でガスエンジンで発生した蒸気を効果的に利用し、かつエンジン冷却水の高温熱源を利用して冷熱を取り出すことのできる、ガス化発電プラントおよび木質バイオマスガス製造システムに関する。
【背景技術】
【０００２】
従来、ガスエンジン発電装置では一般に、排気ラインに温水器が設けられ、温水が供給されるという形態で、排熱が利用されている。
【０００３】
さて、ガス化炉（後掲非特許文献１）においては、木質バイオマス等の原料の熱分解によって熱分解生成ガスが生成し、これに水蒸気が供給されて、熱分解生成ガス中の残存タール分から一酸化炭素および水素ガスが生成する。つまり、ガス化炉において水蒸気供給は欠かせない。
【０００４】
【非特許文献１】ＵＲＬ：http://www.jbnacla.net/h/P2-1.htm  、「Biomass  White  Paper  2003」、ＪＢＮ（日本・ブラジルネットワーク／Japan Brazil Network)、ACLA（ラテンアメリカ文化アカデミー／Academia de Cultura Latino-Americana)、BIN（バイオマス産業社会ネットワーク／Biomass Industrial Society Network)
【発明の開示】
【発明が解決しようとする課題】
【０００５】
上述のように、従来、ガスエンジン発電装置における高温排ガスは、温水器設置による温水供給に利用されているが、これにより蒸気を発生させてガス化炉に供給するという利用例は見られない。
【０００６】
ガスエンジン発電装置においては、また、エンジン冷却水の戻り高温冷却水は１００℃以下の温度である。この温度は通常の吸収冷凍機の高温側熱源としては低すぎるため、吸収冷凍機に利用することはできない。
【０００７】
しかしながら、本願発明者の一部により、氷点下の冷熱発生および熱源温度の低温度化の可能な吸収冷凍機を実現する、画期的な技術が完成された（発明の名称「吸収冷凍機用作動媒体、吸収冷凍機および冷熱熱媒体製造方法」。特願２００３−９１３８４。未公開）。つまり、吸収冷凍機に、従来から一般的に用いられている臭化リチウム−水系作動媒体の蒸気圧特性、溶解度ならびに冷媒の蒸気圧とは大幅に異なる特性を有する、臭化リチウム−水−1,4-ジオキサン系作動媒体を用い、一重効用吸収冷凍機において、機器の小型・低廉化、空気冷却化、氷点下の冷熱発生および熱源温度の低温度化を可能としたものであり、下記（Ｉ）〜（XV）はその要点である。
【０００８】
（Ｉ）  冷媒が水であり、吸収液がリチウム化合物を第一成分とする系からなるか、または、これに加えてアルカリ金属もしくはアルカリ土類金属化合物の少なくともいずれか一方を第二成分以降として含有する系からなる吸収冷凍機用作動媒体であって、該冷媒の系には、水との間で共沸現象を呈する有機物が添加されていることを特徴とする、吸収冷凍機用作動媒体。
（II）  前記有機物は、水に対してそのクラスター構造を細分化し五員体構造水の形成を促進させる機能を有するものであることを特徴とする、（Ｉ）に記載の吸収冷凍機用作動媒体。
（III）  前記有機物が1，4-ジオキサンであることを特徴とする、（II）に記載の吸収冷凍機用作動媒体。
（IV）  前記リチウム化合物が、リチウムハロゲン化物であることを特徴とする、（Ｉ）ないし（III）のいずれかに記載の吸収冷凍機用作動媒体。
（Ｖ）  前記リチウムハロゲン化物が臭化リチウムであり、すなわち臭化リチウム−水系の作動媒体を形成していることを特徴とする、（IV）に記載の吸収冷凍機用作動媒体。
（VI）  1，4-ジオキサン添加量が、水を第一成分としたモル分率で、０.９０ないし０.９７であることを特徴とする、（III）ないし（Ｖ）のいずれかに記載の吸収冷凍機用作動媒体。
（VII）  1，4-ジオキサン添加量が、水を第一成分としたモル分率で、０.９３ないし０.９５であることを特徴とする、（VI）に記載の吸収冷凍機用作動媒体。
【０００９】
（VIII） 発生器と凝縮器とを内蔵する吸収液の濃縮器（以下、単に「濃縮器」という。）、ならびに蒸発器と吸収器とを内蔵する吸収液の希釈器（以下、単に「希釈器」という。）を有し、該発生器において吸収液を加熱して冷媒を蒸発させることによって該吸収液が濃縮された濃厚吸収液を得、該凝縮器で前記蒸発した冷媒蒸気を冷却して冷媒液とし、高温の前記濃厚吸収液を後述する低温の希薄吸収液と熱交換した後該吸収器に導入させるとともに、前記冷媒液を該蒸発器に導入させ、該濃厚吸収液を該吸収器で冷却することによって該蒸発器の冷媒液を蒸発させ、それにより発生した冷媒蒸気を該吸収器内の濃厚吸収液に吸収させ、それにより希釈された希薄吸収液を溶液ポンプ等の手段で該吸収器内から抜き出し、高温の前記濃厚吸収液と熱交換して降温後、該発生器に導入する一方、前記蒸発器における冷媒の蒸発潜熱で冷却された熱媒体（以下、「冷水」ともいう。）を冷却需要先に供給し、需要先で昇温された冷水は再び該蒸発器で冷却することにより需要先を冷却する吸収冷凍機であって、該吸収冷凍機は、標準仕様の冷水塔（冷水塔出口温度３１℃）を用いて標準仕様温度（７℃）の冷水を発生させることができ、該吸収器の熱交換器における前記冷却水出口の温度と、該吸収器出口における吸収液の温度差が５Ｋ以上であることを特徴とする、（Ｉ）ないし（VII）のいずれかに記載の作動媒体を用いた吸収冷凍機。
【００１０】
（IX）  前記蒸発器と吸収器とが分離して設けられている希釈器において、発生した冷媒蒸気への飛沫の同伴を防止するために該蒸発器内に設けられる飛沫同伴防止具を通過する該冷媒蒸気の流速を低減させることができ、それにより該飛沫同伴防止具を簡素化または小型化できることを特徴とする、（VIII）に記載の吸収冷凍機。
【００１１】
（Ｘ）  前記吸収器の冷却手段は、冷水塔で冷却された冷却水を用いることなく大気温度の空気によりなされる空気冷却手段であることを特徴とする、（VIII）または（IX）に記載の吸収冷凍機。
（XI）  前記凝縮器の冷却手段は、冷水塔で冷却された冷却水を用いることなく大気温度の空気によりなされる空気冷却手段であることを特徴とする、（XIII）ないし（Ｘ）のいずれかに記載の吸収冷凍機。
【００１２】
（XII）  前記発生器の伝熱面積を増大することなく、該発生器における吸収液濃縮のための加熱熱源温度が９０℃以下であることを特徴とする、（VIII）ないし（XI）のいずれかに記載の吸収冷凍機。
（XIII）  前記加熱熱源温度が８５℃以下であることを特徴とする、（XII）に記載の吸収冷凍機。
（XIV）  前記加熱熱源温度が７０℃以上８０℃以下であることを特徴とする、（XIII）に記載の吸収冷凍機。
（XV）  吸収液の濃縮が一段で行われる一重効用吸収冷凍機であって、前記発生器、凝縮器、吸収器、および発生器のいずれの伝熱面積をも増大させることなく、氷点下の温度の冷水を発生させることが可能なことを特徴とする、（XII）ないし（XIV）のいずれかに記載の吸収冷凍機。
【００１３】
かかる吸収冷凍機の発明により、１００°以下の温度であっても、吸収冷凍機の高温側熱源として用いることが可能となった。
【００１４】
したがって本発明の課題は、まず、上記従来技術の欠点を解決して、ガス化ガスの高カロリー化とガス転換効率を従来以上に向上することができる、ガス化発電プラントを提供することである。
【００１５】
さらに本発明の課題は、上記未公開発明の特徴を利用し、低温排熱を有効利用し、かつ氷点下以下の冷熱を供給することができる、ガス化発電プラントを提供することである。
【００１６】
加えて本発明の課題は、上記従来技術の欠点を解決して、ガス化ガスの高カロリー化とガス転換効率を従来以上に向上することができ、あるいは併せて上記未公開発明の特徴を利用し、低温排熱を有効利用し、かつ氷点下以下の冷熱を供給することができる、木質バイオマスガス製造システムを提供することである。
【課題を解決するための手段】
【００１７】
本願発明者は上記課題について鋭意検討した結果、ガスエンジンで発生した蒸気を流動床ガス化炉に導き、かつ冷却水戻りラインの高温冷却水を吸収冷凍機の高温熱源とすることによって各課題を解決できることを見出し、本発明に至った。すなわち、本願で特許請求または少なくとも開示される発明は、以下の通りである。
【００１８】
（１）  ガスエンジン発電装置と吸収冷凍機を備えてなるガス化発電プラントであって、該プラントは、木質バイオマスを原料とする流動床ガス化炉から生成されるガス化ガスのラインが、このガス化ガスを燃料とするガスエンジン発電装置に接続されており、該ガスエンジン発電装置のガスエンジンに備えられた冷却水ラインの内、戻りラインの高温冷却水を高温熱源とする吸収冷凍機が設けられており、該吸収冷凍機は氷点以下の冷熱を供給できるものであることを特徴とする、ガス化発電プラント。
（２）  前記ガスエンジンの排気を大気に放出するための排気ラインにはボイラが設けられ、該ボイラにはここで発生した蒸気を前記流動床ガス化炉に導く蒸気ラインが設けられており、かかる構成により該流動床ガス化炉では、木質バイオマスの熱分解反応のために蒸気を流動ガスとして使用することができ、水素や一酸化炭素などのガス化ガスを生成できることを特徴とする、（１）に記載のガス化発電プラント。
【００１９】
（３）  前記ボイラで発生する蒸気流量を前記流動床ガス化炉における木質チップの供給量から要求される一定範囲の値に維持するために、前記ガスエンジンの排気ラインには、排ガスを大気に放風するための放風ラインが設けられていることを特徴とする、（２）に記載のガス化発電プラント。
（４）  前記ボイラで発生する蒸気の温度を一定範囲に維持するために、前記ガスエンジンの排気ラインには、排ガス流量制御弁が設けられていることを特徴とする、（２）または（３）に記載のガス化発電プラント。
（５）  前記流動床ガス化炉において木質バイオマスが、前記ボイラで発生した蒸気によって熱分解反応する際に、木質バイオマスの供給量と蒸気流量との比が望ましい範囲に維持されるように、前記蒸気ラインには蒸気流量制御弁が設けられていることを特徴とする、（２）または（３）に記載のガス化発電プラント。
（６）  前記流動床ガス化炉において木質バイオマスが、前記ボイラで発生した蒸気によって熱分解反応する際に、木質バイオマスの供給量と蒸気流量との比が望ましい範囲に維持されるように、前記蒸気ラインには蒸気流量制御弁が設けられていることを特徴とする、（４）に記載のガス化発電プラント。
【００２０】
（７）  前記ガスエンジンの冷却水ラインの内、戻りラインの高温冷却水の温度を一定範囲に維持するために、供給ラインに冷却水流量制御弁が設けられていることを特徴とする、（１）ないし（３）のいずれかに記載のガス化発電プラント。
（８）  前記ガスエンジンの冷却水ラインの内、戻りラインの高温冷却水の温度を一定範囲に維持するために、供給ラインに冷却水流量制御弁が設けられていることを特徴とする、（４）に記載のガス化発電プラント。
（９）  前記ガスエンジンの冷却水ラインの内、戻りラインの高温冷却水の温度を一定範囲に維持するために、供給ラインに冷却水流量制御弁が設けられていることを特徴とする、（５）に記載のガス化発電プラント。
（１０）  前記ガスエンジンの冷却水ラインの内、戻りラインの高温冷却水の温度を一定範囲に維持するために、供給ラインに冷却水流量制御弁が設けられていることを特徴とする、（６）に記載のガス化発電プラント。
【００２１】
（１１）  木質バイオマスを原料とする流動床ガス化炉と、該流動床ガス化炉にラインで接続して設けられた蒸気発生装置とを備えてなる木質バイオマスガス製造システムであって、該蒸気発生装置は、高温排ガス発生源の排気ライン上に設けられたボイラであることを特徴とする、木質バイオマスガス製造システム。
（１２）  前記ボイラには、
（１２Ａ）ボイラで発生する蒸気流量を前記流動床ガス化炉における木質チップの供給量から要求される一定範囲の値に維持するための、前記高温排ガス発生源からの排ガスを大気に放風可能な、放風ライン、
（１２Ｂ）ボイラで発生する蒸気の温度を一定範囲に維持するための、前記高温排ガス発生源からの排ガス流量を調節可能な、排ガス流量制御弁、または、
（１２Ｃ）木質バイオマスの供給量と蒸気流量との比を望ましい範囲に維持するための、蒸気流量制御弁、
の少なくともいずれか一つが付設されていることを特徴とする、（１１）に記載の木質バイオマスガス製造システム。
【００２２】
つまり本発明は、ガスエンジンの排気ラインで発生した蒸気を流動床ガス化炉の流動ガスとして使用して生成したガス化ガスを、ガスエンジン発電装置の燃料とし、ガスエンジンの戻りラインの高温冷却水を熱源とした吸収冷凍機で、氷点以下の冷熱を供給するガス化発電プラント等を提供することにより、上記課題を解決したものである。
【発明の効果】
【００２３】
本発明のガス化発電プラントは上述のように構成されるため、以下のような効果を得ることができる。
１．ガスエンジンの排気ラインで発生した蒸気を流動床ガス化炉の流動ガスとして使用するため、高カロリーでガス転換効率の高いガス化ガス燃料を生成してガスエンジンに供給することが可能である。
２．また、ガスエンジン冷却水の戻りラインの熱源を吸収冷凍機の熱源として使用することが可能であり、氷点以下の冷熱を取り出すことができる。
【００２４】
また、本発明の木質バイオマスガス製造システムによれば、高温排ガス発生源の排気ライン上に設けられた蒸気発生装置で発生した蒸気を流動床ガス化炉の流動ガスとして使用するため、高カロリーでガス転換効率の高いガス化ガス燃料を生成することができる。
【発明を実施するための最良の形態】
【００２５】
以下、本発明を図面により詳細に説明する。
図１は、本発明のガス化発電プラントの基本的構成を示すブロック図である。図において本プラントは、ガスエンジン発電装置６、７と吸収冷凍機２０を備えてなるガス化発電プラントであって、該プラントは、木質バイオマスを原料とする流動床ガス化炉１から生成されるガス化ガスのライン５が、このガス化ガスを燃料とするガスエンジン発電装置６、７に接続されており、該ガスエンジン発電装置６、７のガスエンジン６に備えられた冷却水ラインの内、戻りライン１９の高温冷却水を高温熱源とする吸収冷凍機２０が設けられていることを、基本的構成とする（上記（１）の発明）。
【００２６】
ここで該吸収冷凍機２０は、上述した未公開特許出願に係る発明によるものであり、以下説明する本発明において共通である。
【００２７】
かかる構成により該ガス化発電プラントは、該流動床ガス化炉１において木質バイオマスを原料としてガス化ガスが生成され、これが搬送されるライン５によって、該ガス化ガスはこれを燃料とするガスエンジン発電装置６、７に搬送されて、該ガスエンジン６を駆動するための燃料として消費され、それにより発電装置７における発電がなされる。
【００２８】
一方、該ガスエンジン６に備えられた冷却水ラインの内、戻りライン１９の高温冷却水は、該吸収冷凍機２０の高温熱源として用いられて、該吸収冷凍機２０においては氷点以下の冷熱が供給される。
【００２９】
図において本プラントは、前記ガスエンジン６の排気を大気に放出するための排気ライン８にはボイラ９が設けられ、該ボイラ９にはここで発生した蒸気を前記流動床ガス化炉１に導く蒸気ライン１１が設けられた構成とすることができる（上記（２）の発明）。
【００３０】
かかる構成により該流動床ガス化炉１では、木質バイオマスの熱分解反応のために、該ボイラ９から搬送された蒸気を流動ガスとして使用することができ、水素や一酸化炭素などのガス化ガスが生成される。
【００３１】
図において本ガス化発電プラントは、また、前記ボイラ９で発生する蒸気流量を、前記流動床ガス化炉１においてチップ貯槽２から供給される木質チップの量から要求される一定範囲の値に維持するために、前記ガスエンジン６の排気ライン８には、排ガスを大気に放風するための放風ライン１３が設けられた構成とすることができる（上記（３）の発明）。
【００３２】
かかる構成により本プラントでは、該蒸気流量を、該流動床ガス化炉１において該チップ貯槽２から供給される木質チップの量から要求される一定範囲の値に維持するために、上記流量を抑制する必要がある場合は、該放風ライン１３を機能させて、該排気ライン８を介して搬送される該ガスエンジン６からの排ガスが大気に放風される。蒸気流量の制御は、該放風ライン１３からの排ガス放風の程度を制御することにより、なすことができる。
【００３３】
図において本プラントは、また、前記ボイラ９で発生する蒸気の温度を一定範囲に維持するために、前記ガスエンジン６の排気ライン８には、排ガス流量制御弁１４を設けた構成とすることができる（上記（４）の発明）。
【００３４】
かかる構成により本プラントでは、該排ガス流量制御弁１４による排ガス流量多寡の制御によって、搬送される蒸気温度を下げたい場合は放風量を多くして排気放出（１０）方向への流れを少なくし、逆に蒸気温度の低下を抑制したい場合は、放風量を少なくして排気排出（１０）方向への流れを充分に維持することができる。
【００３５】
図において本プラントはまた、前記流動床ガス化炉１において木質バイオマスが、前記ボイラ９で発生した蒸気によって熱分解反応する際に、チップ貯槽２からチップ供給ライン３を介して供給される木質バイオマスの供給量と、該ボイラ９からの蒸気流量との比が望ましい範囲に維持されるように、前記蒸気ライン１１には蒸気流量制御弁１２が設けられた構成とすることができる（上記（５）、（６）の発明）。
【００３６】
かかる構成により本プラントでは、該蒸気流量制御弁１２による流通蒸気流量の多寡の制御によって、木質バイオマス供給量に対して蒸気量を減じたい場合は該ガス化炉１に供給される蒸気量を少なくし、逆に増やしたい場合は供給量を多くすることができる。それにより、木質バイオマス供給量と蒸気供給量のバランスの適正化を図ることができる。
【００３７】
図において本ガス化発電プラントは、前記ガスエンジン６の冷却水ライン１７、１９の内、戻りライン１９の高温冷却水の温度を一定範囲に維持するために、供給ライン１７に冷却水流量制御弁１８が設けられた構成とすることができる（上記（７）、（８）、（９）、（１０）の発明）。
【００３８】
かかる構成により本プラントでは、該冷却水量制御弁１８による、該ガスエンジン６への流通冷却水量の多寡によって、ライン１９の高温冷却水の温度範囲維持のために昇温が必要な場合は冷却水量を抑制し、逆に降温が必要な場合はこれを多くすることができる。それにより、戻りライン１９の高温冷却水の温度を一定範囲に維持できる。
【００３９】
さて、以上説明した本願にかかる各発明のガス化発電プラントについて、再度総合的に説明する。
図１には、本発明のガス化発電プラントの全体構成が示されている。図において、チップ貯槽２に蓄えられた木質チップはチップ供給ライン３を通って流動床ガス化炉１に供給され、一方、チップの熱分解反応に供される空気は空気ライン４を通って流動床ガス化炉１に供給され、さらに、蒸気が蒸気ライン１１を通って供給され、空気と同様にチップの熱分解反応に供され、これらの供給によって、流動床ガス化炉１では水素、一酸化炭素およびメタンなどの可燃性ガスを含むガス生成が行われ、この生成ガスは生成ガスライン５を通って、燃料としてガスエンジン６に供給される。
【００４０】
ガスエンジン６は発電機７とカップリングされてガスエンジン発電装置（６、７）を構成しており、ガスエンジン６はこの発電機７を駆動して、電気を発生する。
【００４１】
ガスエンジン６内で燃焼した排ガスは、排ガスライン８を通り、その下流に位置する蒸気発生器（ボイラ）９を通ることによって蒸気発生器９内で蒸気を発生させ、その後、排気放出ライン１０を通って大気に放出される。
【００４２】
蒸気発生器９で発生した蒸気は、前述蒸気ライン１１を通って流動床ガス化炉１に供給される。この蒸気ライン１１には、蒸気流量制御弁１２が設けられており、流動床ガス化炉１に供給される蒸気量は、チップ貯槽２からの木質チップ供給量から要求される一定範囲に制御される。
【００４３】
また、ガスエンジン６の排気ライン８の途中には、放風ライン１３が接続し、この放風ライン１３には、排ガス流量制御弁１４が設けられている。この弁により、流動床ガス化炉１に供給される蒸気の温度は、要求される一定範囲に制御される。
【００４４】
また、ガスエンジン６を冷却するために、ガスエンジン冷却ライン１５が設けられており、この内、供給ライン１７には給水ポンプ１６が設置され、ガスエンジン６に冷却水が供給されてガスエンジン６を冷却し、冷却して高温になった高温冷却水は、戻りライン１９を通って吸収冷凍機２０に戻され、この高温の冷却水は、吸収冷凍機２０において冷熱２１を作り出すための高温熱源として供給される。
【００４５】
ここで、供給ライン１７上には冷却水流量制御弁１８が設けられており、戻りライン１９の高温冷却水の温度は、要求される一定範囲に制御される。
【００４６】
図２は、本発明の木質バイオマスガス製造システムの基本構成を示すブロック図である。図において本システム１００は、木質バイオマスを原料とする流動床ガス化炉５０と、該流動床ガス化炉５０にライン１１０で接続して設けられた蒸気発生装置９０とを備えてなり、該蒸気発生装置９０は、高温排ガス発生源６０の排気ライン８０に接続して設けられたボイラであることを、主たる構成とする（上記（１１）の発明）。本システム１００は、その構成要素として該高温排ガス発生源６０自体を含む必要はないが、これを含むこととしてもよい。
【００４７】
かかる構成により本システム１００では、ガスエンジン等の該高温排ガス発生源６０にて発生し該排気ライン８０によって搬送される高温排ガスによって、該蒸気発生装置９０たるボイラにおいて蒸気が発生し、これが該ライン１１０を介して該流動床ガス化炉５０に供給され、木質バイオマスを原料とする木質バイオマスガス製造がなされる。
【００４８】
図において本システム１００は、前記ボイラ９０に、
（Ａ）発生する蒸気流量を前記流動床ガス化炉５０における木質チップの供給量から要求される一定範囲の値に維持するための、前記高温排ガス発生源６０からの排ガスを大気に放風可能な、放風ライン１３０、
（Ｂ）ボイラ９０で発生する蒸気の温度を一定範囲に維持するための、前記高温排ガス発生源６０からの排ガス流量を調節可能な、排ガス流量制御弁１４０、
（Ｃ）木質バイオマスの供給量と蒸気流量との比を望ましい範囲に維持するための、蒸気流量制御弁１２０、
の少なくともいずれか一つが付設されたものとすることができる（上記（１２）の発明）。
【００４９】
これらを付設することにより、意図される蒸気供給量制御、蒸気温度制御が行われる。
【産業上の利用可能性】
【００５０】
本発明のガス化発電プラントは上述のように構成されるため、ガスエンジンの排気ラインで発生した蒸気を流動床ガス化炉の流動ガスとして使用でき、高カロリーでガス転換効率の高いガス化ガス燃料を生成し、ガスエンジンに供給することができる。また、ガスエンジン冷却水の戻りラインの熱源を吸収冷凍機の熱源として使用、氷点以下の冷熱を取り出すことができ、産業上の利用価値が高い。
【００５１】
また、本発明の木質バイオマスガス製造システムによれば、高温排ガス発生源の排気ライン上に設けられた蒸気発生装置で発生した蒸気を流動床ガス化炉の流動ガスとして使用できるため、高カロリーでガス転換効率の高いガス化ガス燃料を生成することができ、産業上の利用価値が高い。
【図面の簡単な説明】
【００５２】
【図１】本発明のガス化発電プラントの基本的構成を示すブロック図である。
【図２】本発明の木質バイオマスガス製造システムの基本構成を示すブロック図である。
【符号の説明】
【００５３】
１…流動床ガス化炉
２…チップ貯槽
３…チップ供給ライン
４…空気ライン
５…生成ガスライン
６…ガスエンジン
７…発電機
８…排ガスライン
９…蒸気発生器（ボイラ）
１０…排気放出ライン
１１…蒸気ライン
１２…蒸気流量制御弁
１３…排気放風ライン
１４…排気流量制御弁
１５…冷却水ライン
１６…給水ポンプ
１７…供給ライン
１８…冷却水流量制御弁
１９…戻りライン
２０…吸収冷凍機
２１…冷熱
【００５４】
５０…流動床ガス化炉
６０…高温排ガス発生源
８０…排気ライン
９０…蒸気発生装置
１００…木質バイオマスガス製造システム
１１０…ライン
１２０…蒸気流量制御弁
１３０…放風ライン
１４０…排ガス流量制御弁
【図１】
2005273456.tif 000003
【図２】
2005273456.tif 000004